(57)【要約】      （修正有）【課題】詰まり取りカップ先端に触らずに収納及びロック可能であり、運搬・移動用の握り部がある詰まり取りカップ収納ケースを提供する。【解決手段】基礎容器６とその基礎容器外部側面から伸びる詰まり取りカップ取っ手支持部からなる。前記取っ手支持部は、前記基礎容器６の外部側面から伸びる延長部７１と、前記延長部７１に取り付けられた軸７２を中心にして回動可能な湾曲部７３と、前記湾曲部７３の先端に取り付けられた取っ手固定具７４からなる。【選択図】図２
0003166165.tif 000002
【実用新案登録請求の範囲】
【請求項１】
基礎容器（６）とその基礎容器外部側面から伸びる詰まり取りカップ取っ手支持部（７）からなり、
前記取っ手支持部（７）は、前記基礎容器（６）の外部側面から伸びる延長部（７１）と、前記延長部（７１）に取り付けられた軸（７２）を中心にして回動可能な湾曲部（７３）と、前記湾曲部（７３）の先端に取り付けられた取っ手固定具（７４）からなる
ことを特徴とする詰まり取りカップ収納ケース。
【請求項２】
前記湾曲部（７３）下部には前方及び後方にストッパ（７３１，７３２）が設けられていて前記湾曲部（７３）の回動範囲に制限を設けた請求項１記載の詰まり取りカップ収納ケース。
【請求項３】
前記取っ手支持具（７）の取っ手側には小突起（７４１）が設けられていてこの小突起（７４１）に取っ手（４）が当たるときにやや抵抗を与えるが、前記小突起（７４１）を前記取っ手（４）が乗り越えてしまえば前記取っ手（４）の動きが制約されたロック状態となる請求項１又は２記載の詰まり取りカップ収納ケース。
【請求項４】
先端のカップ部（３）と中間の取っ手（４）と後端の押し込み部（５）を有する詰まり取りカップ（１）を収納させた請求項１ないし３のいずれかに記載の詰まり取りカップ収納ケース。
【考案の詳細な説明】
【技術分野】
【０００１】
本考案は、トイレや浴室、キッチンの排水口等の詰まりを吸引により連通させる詰まり取りカップを不使用時に収納するケースに関するものである。
【背景技術】
【０００２】
詰まり取りカップの収納ケースについては、本出願人もかつて特開2005-80805として提案したことがある。これは、収納ケースによりカップ先端を包み込むと共に、この部分を基礎にして自立させることができるもので、トイレ内やキッチン等の片隅であっても設置することができるようにしたものである。
【考案の概要】
【考案が解決しようとする課題】
【０００３】
前記従来技術は好評を博したが、次のような点で改良が望まれた。
【０００４】
（１）収納時に先端の円筒状ゴム部（添付図２（ａ）の符号３３）を取っ手側に引き上げることにより、先端部を短く、かつ、安定した半球状に変形させる必要があった。たとえゴム手袋をしていても、汚物に触れやすい先端部に触るのは抵抗があった。
【０００５】
（２）運搬・移動時には、しっかりした握り部がなく、取っ手をつかんでいた。実際上はそれでも問題はなかったが、安定性を高めるためにできれば握り部があった方がよい。
【０００６】
本考案はこれらの問題を解決することを目的とする。
【課題を解決するための手段】
【０００７】
本考案の詰まり取りカップ収納ケースは、基礎容器６とその基礎容器外部側面から伸びる取っ手支持部７からなり、前記取っ手支持部７は、前記基礎容器６の外部側面から伸びる延長部７１と、この延長部７１に取り付けられた軸７２を中心にして回動可能な湾曲部７３と、湾曲部７３の先端に取り付けられた取っ手支持具７４からなることを特徴とする（請求項１）。
【０００８】
好ましくは、湾曲部７３下部には前方及び後方にストッパ７３１，７３２が設けられていて湾曲部７３の回動範囲に制限を設けることである（請求項２）。
【０００９】
好ましくは、取っ手支持具７の取っ手側には小突起７４１が設けられていてこの小突起７４１に取っ手４が当たるときにやや抵抗を与えるが、小突起７４１を取っ手４が乗り越えてしまえば取っ手４の動きが制約されたロック状態となることである（請求項３）。
【００１０】
当然のことながら、この詰まり取りカップ収納ケースは、先端のカップ部３と中間の取っ手４と後端の押し込み部５を有する詰まり取りカップに組み合わせて販売・収納される（請求項４）。
【考案の効果】
【００１１】
本考案請求項１によれば、汚物に触れやすい詰まり取りカップの先端部に触れることなく収納ケースに収納可能である。また、湾曲部が運搬・移動時の握り部となる。
【００１２】
本考案請求項２及び３によれば、詰まり取りカップを収納ケースに収納したり取り出したりするときに容易にロック及びその解除ができる。
【００１３】
本考案請求項４によれば、詰まり取りカップ１と詰まり取りカップ収納ケース２の双方の着色・デザインが調和するように調整することにより、商品価値を高めることができる。
【図面の簡単な説明】
【００１４】
【図１】本考案の詰まり取りカップ収納ケースに本考案の詰まり取りカップを収納した状態の斜視図である。
【図２】本考案の詰まり取りカップ収納ケースから詰まり取りカップを取り出した状態の斜視図である。（ａ）は詰まり取りカップ、（ｂ）は詰まり取りカップ収納ケースである。
【図３】（ａ）本考案の詰まり取りカップ収納ケースに本考案の詰まり取りカップを収納し、ロックした状態の側面図である。（ｂ）本考案の詰まり取りカップ収納ケースに本考案の詰まり取りカップを収納しているが、まだロックされていない状態の側面図である。
【考案を実施するための形態】
【００１５】
以下、添付の図面に基づいて、本考案の実施例を説明する。
【実施例１】
【００１６】
図１は、本考案の詰まり取りカップ収納ケース２に詰まり取りカップ１を収納した状態の斜視図である。図２（ａ）に示す詰まり取りカップ１を図２（ｂ）の収納ケース２に差し入れて、ロックしたものである。
【００１７】
詰まり取りカップ１は、図２（ａ）に示すように、先端のカップ部３と中間の取っ手４と後端の押し込み部５からなる。それぞれの連結部には連結用短筒３１，５１が形成されている。
【００１８】
先端のカップ部３は、全体が弾力性のあるゴム製であり、中空半球状部３２と、その先端に設けられた、先細の円筒状部３３からなる。周知のように、配管等の詰まりを除去して連通させるための吸引力は、この先端ゴム製円筒状部３３を排水口などに当てて取っ手を前後させ、中空半球状部３２を収縮させることにより生まれる。
【００１９】
中間の取っ手４は、長さ２０〜５０ｃｍ、太さ約２ｃｍの細長い円柱である。
【００２０】
後端の押し込み具５は、詰まり取りカップ１を前後させるときに力を込めやすくするために取っ手４に対して垂直方向に伸びている。
【００２１】
詰まり取りカップ収納ケース２は、図２（ｂ）に示すように、下部の洗面器状の基礎容器６とその外部側面から伸びる取っ手支持部７からなる。
【００２２】
基礎容器６の上縁は、詰まり取りカップの半球部３２の下縁とほぼ同じ大きさであり、高さも詰まり取りカップのカップ部３がすっぽりと収納できる高さである。
【００２３】
取っ手支持部７は、基礎容器６の外部側面から伸びる延長部７１と、この延長部７１に取り付けられた軸７２を中心にして回動可能な湾曲部７３と、湾曲部７３の先端に取り付けられた取っ手固定具７４からなる。湾曲部７３と取っ手固定具７４は、通常、プラスチックにより一体成形される。
【００２４】
湾曲部７３下部には前方にも後方にもストッパ７３１，７３２（図３（ｂ））が設けられていて湾曲部７３の回動範囲に制限がある。図３（ａ）の状態が湾曲部の最も前傾した状態であり、図３（ｂ）の状態が湾曲部の最も後傾した状態である。
【００２５】
取っ手支持具７の取っ手側には小突起７４１（図２（ｂ））が設けられていてこの小突起７４１に取っ手４が当たるときにやや抵抗を与えるが、小突起７４１を取っ手４が乗り越えてしまえば取っ手４の動きが制約されたロック状態となる。
【００２６】
上記すべての構成要素は先端ゴム部を除いてプラスチック製であるので、調和のとれた着色をしておくことが好ましい。
【００２７】
この詰まり取りカップ収納ケースの使用法は次のとおりである。
【００２８】
図１が収納状態である。詰まり取りカップ１とその収納ケース２を運搬・移動させるときには湾曲部７３と、必要に応じて押し込み部５を手で握ればよい。
【００２９】
詰まり取りカップ１を取り出すには、小突起７４１の抵抗に抗して湾曲部７３を後方に引っ張り、図３（ｂ）の状態にする。この状態では詰まり取りカップは、何の障害もないのですっぽりと上方へ取り出すことができる。
【００３０】
収納するときには上記操作の逆操作を行う。
【先行技術文献】
【特許文献】
【００３１】
【特許文献１】特開2005-80805公報
【符号の説明】
【００３２】
１     詰まり取りカップ
２     詰まり取りカップ収納ケース
３     カップ部
３１   連結用短筒
３２   中空半球状部
３２   半球部
３３   ゴム製円筒状部
３３   先端ゴム製円筒状部
３３   ゴム製円筒状部
４     取っ手
５     押し込み部
５１   連結用短筒
６     基礎容器
７     取っ手支持部
７１   延長部
７２   軸
７３   湾曲部
７４   取っ手固定具
７３１，７３２       ストッパ
７４１ 小突起
【図１】
0003166165.tif 000003
【図２】
0003166165.tif 000004
【図３】
0003166165.tif 000005
【手続補正書】
【提出日】平成22年12月10日(2010.12.10)
【手続補正１】
【補正対象書類名】実用新案登録請求の範囲
【補正対象項目名】全文
【補正方法】変更
【補正の内容】
【実用新案登録請求の範囲】
【請求項１】
取っ手（４）を有する詰まり取りカップ（１）を収納するためのケース（２）であって、
洗面器状の基礎容器（６）とその基礎容器外部側面から伸びる詰まり取りカップ取っ手支持部（７）からなり、
前記取っ手支持部（７）は、前記基礎容器（６）の外部側面から伸びる延長部（７１）と、前記延長部（７１）に取り付けられた軸（７２）を中心にして回動可能な湾曲部（７３）と、前記取っ手（４）をロック可能な状態に前記湾曲部（７３）の先端に固定する、取っ手固定具（７４）からなる
ことを特徴とする詰まり取りカップ収納ケース。
【請求項２】
前記湾曲部（７３）下部には前方及び後方にストッパ（７３１，７３２）が設けられていて前記湾曲部（７３）の回動範囲に制限を設けた請求項１記載の詰まり取りカップ収納ケース。
【請求項３】
前記取っ手固定具（７４）における取っ手（４）当接面に小突起（７４１）が設けられていてこの小突起（７４１）に前記取っ手（４）が当たるときにやや抵抗を与えるが、前記小突起（７４１）を前記取っ手（４）が乗り越えてしまえば前記取っ手（４）の動きが制約されたロック状態となる請求項１又は２記載の詰まり取りカップ収納ケース。
【請求項４】
先端のカップ部（３）と中間の取っ手（４）と後端の押し込み部（５）を有する詰まり取りカップ（１）を収納させた請求項１ないし３のいずれかに記載の詰まり取りカップ収納ケース。
【手続補正２】
【補正対象書類名】明細書
【補正対象項目名】０００７
【補正方法】変更
【補正の内容】
【０００７】
本考案の詰まり取りカップ収納ケースは、取っ手４を有する詰まり取りカップ１を収納するためのケース２であって、洗面器状の基礎容器６とその基礎容器外部側面から伸びる詰まり取りカップ取っ手支持部７からなり、前記取っ手支持部７は、前記基礎容器６の外部側面から伸びる延長部７１と、前記延長部７１に取り付けられた軸７２を中心にして回動可能な湾曲部７３と、前記取っ手４をロック可能な状態に前記湾曲部７３の先端に固定する、取っ手固定具７４からなることを特徴とする（請求項１）。
【手続補正３】
【補正対象書類名】明細書
【補正対象項目名】０００９
【補正方法】変更
【補正の内容】
【０００９】
好ましくは、取っ手固定具７４における取っ手４当接面には小突起７４１が設けられていてこの小突起７４１に取っ手４が当たるときにやや抵抗を与えるが、小突起７４１を取っ手４が乗り越えてしまえば取っ手４の動きが制約されたロック状態となることである（請求項３）。